(57)【特許請求の範囲】
【請求項１】
棚支柱に設けられた左右一対のブラケットと、両ブラケット間に渡って取り付けられた前後のフレームと、これらブラケット及びフレーム上に載置される棚板とから成るショーケースの棚装置において、
前記前側のフレームの下側から前方に渡って設けられ、当該フレームの前面との間に間隔を存して起立する縦壁を備えた棚飾りと、
前記前側のフレームと前記棚飾り間に位置して設けられた保持部材とを備え、
この保持部材は、前記棚飾りの縦壁後側において部分的に起立し、前記前側のフレームとの間に間隔を構成する保持壁を備え、この保持壁と前記前側のフレーム前面間の間隔に棚ガードを挿入して立設すると共に、その状態で前記保持壁以外の部分の前記棚飾りの縦壁と前記棚ガード間に、掲示部材の挿入空間を構成することを特徴とするショーケースの棚装置。
【請求項２】
保持壁は、棚ガードの長手方向における少なくとも両端に対応して形成されていることを特徴とする請求項１のショーケースの棚装置。
【請求項３】
保持壁は、棚ガードの長手方向における両端部と中央部に対応して形成されていることを特徴とする請求項１のショーケースの棚装置。
【請求項４】
棚飾りと保持部材は前側のフレームに下側からネジにて共締め固定されていることを特徴とする請求項１、請求項２又は請求項３のショーケースの棚装置。
【発明の詳細な説明】
【０００１】
【発明の属する技術分野】
本発明は、棚支柱に取り付けた左右一対のブラケット間に渡ってフレームを取り付け、これらブラケットとフレーム上に棚板を載置して成るショーケースの棚装置に関するものである。
【０００２】
【従来の技術】
従来の棚装置はたとえば特開平８−１２８７７８号公報に示される如く、低温ショーケースの庫内背部に立設された棚支柱に左右一対のブラケットを介して取り付けると共に、このブラケット間に渡って前後にそれぞれ前部棚枠及び後部棚枠を取り付けて井桁状を形成し、この井桁状の上に透明ガラス製の棚板を載置する構造とされている。そして、前記前部棚枠の前縁及び後部棚枠の後縁には、Ｌ字形に立ち上がるフェンスが形成されている。そして前部棚枠と棚板との間にプライスカード等を掲示するための掲示部材が挿入されていた。
【０００３】
【発明が解決しようとする課題】
しかしながら、係る従来の構成では、前部棚枠及び後部棚枠によって前記棚板を支持していたため、棚板は前後に移動可能とされていた。そして、低温ショーケースに載置される場合には、前記に棚板が移動しているため、前部棚枠と棚板との間に前記掲示部材を挿入する際には、棚板を後方に移動させ、前部棚枠と棚板との間に隙間を形成する必要がある。この場合、棚板上に商品が陳列されていると、棚板を後方に移動させることは困難であるため、掲示部材を取り付ける度に、棚板上の商品を一度棚上から降ろす必要があった。また、従来の棚装置は、後方から前方に向けて低く傾斜していたため、棚板を後方に移動させることは、困難であった。
【０００４】
そこで、上記技術的課題を解決するために、前部棚枠の前面に予め掲示部材を取り付けるための保持部材を取り付けることが考えられるが、係る方法では、保持部材の寸法分だけ前方に突出してしまうため、棚板面積を減縮させる必要があり、棚板面積が拡張できないという問題があった。
【０００５】
そこで、本発明は係る従来の技術的課題を解決するために成されたものであり、棚ガードから前方の寸法を減縮することができると共に、棚板面積の拡張を図ることができるショーケースの棚装置を提供することを目的とするものである。
【０００６】
【課題を解決するための手段】
本発明のショーケースの棚装置は、棚支柱に設けられた左右一対のブラケットと、両ブラケット間に渡って取り付けられた前後のフレームと、これらブラケット及びフレーム上に載置される棚板とから成るショーケースの棚装置において、前側のフレームの下側から前方に渡って設けられ、当該フレームの前面との間に間隔を存して起立する縦壁を備えた棚飾りと、前側のフレームと棚飾り間に位置して設けられた保持部材とを備え、この保持部材は、棚飾りの縦壁後側において部分的に起立し、前側のフレームとの間に間隔を構成する保持壁を備え、この保持壁と前側のフレーム前面間の間隔に棚ガードを挿入して立設すると共に、その状態で保持壁以外の部分の棚飾りの縦壁と棚ガード間に、掲示部材の挿入空間を構成することを特徴とする。
【０００７】
本発明によれば、棚支柱に設けられた左右一対のブラケットと、両ブラケット間に渡って取り付けられた前後のフレームと、これらブラケット及びフレーム上に載置される棚板とから成るショーケースの棚装置において、前側のフレームの下側から前方に渡って設けられ、当該フレームの前面との間に間隔を存して起立する縦壁を備えた棚飾りと、前側のフレームと棚飾り間に位置して設けられた保持部材とを備え、この保持部材は、棚飾りの縦壁後側において部分的に起立し、前側のフレームとの間に間隔を構成する保持壁を備え、この保持壁と前側のフレーム前面間の間隔に棚ガードを挿入して立設すると共に、その状態で保持へ奇異外の部分の棚飾りの縦壁と棚ガード間に、掲示部材の挿入空間を構成したので、保持壁の肉厚寸法で掲示部材の挿入空間を構成することができ、従来に比して棚ガード前面と棚飾りの縦壁との間の距離を狭くすることができるようになり、棚板面積の拡張を図ることができるようになる。
【０００８】
また、棚ガードの保持を保持部材の保持壁と前側のフレームと挟持することによって、支障無く行うことができるようになる。
【０００９】
更に、挿入空間に埃や棚装置に陳列される商品から滴下した肉汁などが侵入した場合に、棚ガードを外すことにより、前側のフレームと保持部材との間の隙間が拡張され、掃除やメンテナンス作業を容易に行うことができるようになり、衛生面においても有効なものとなる。
【００１０】
請求項２の発明のショーケースの棚装置は、請求項１の発明に加えて保持壁は、棚ガードの長手方向における少なくとも両端に対応して形成されていることを特徴とする。
【００１１】
請求項２の発明によれば、請求項１の発明に加えて保持壁は、棚ガードの長手方向における少なくとも両端に対応して形成されているので、両端部で安定して棚ガードを保持することができるようになる。
【００１２】
請求項３の発明のショーケースの棚装置は、請求項１の発明に加えて保持壁は、棚ガードの長手方向における両端部と中央部に対応して形成されていることを特徴とする。
【００１３】
請求項３の発明によれば、請求項１の発明に加えて保持壁は、棚ガードの長手方向における両端部と中央部に対応して形成されているので、両端と中央でより一層、安定的に棚ガードを保持することができるようになる。
【００１４】
請求項４の発明のショーケースの棚装置は、請求項１、請求項２又は請求項３の発明に加えて、棚飾りと保持部材は前側のフレームに下側からネジにて共締め固定されていることを特徴とする。
【００１５】
請求項４の発明によれば、請求項１、請求項２又は請求項３の発明に加えて棚飾りと保持部材は前側のフレームに下側からネジにて共締め固定されているので、棚飾りと保持部材の取り付け作業性を向上させることができるようになると共に、部品点数を削減することができコストの低減を図ることができるようになる。
【００１６】
【発明の実施の形態】
以下、図面に基づき本発明の実施形態を詳述する。図１は本発明を適用した実施例としての低温ショーケース１の斜視図、図２は棚装置２の断面図、図３は棚装置２の平面図、図４は棚装置２の正面図を示している。
【００１７】
実施例の低温ショーケース１は、断面略コ字状の断熱壁３と、この断熱壁３の左右に取り付けられた側板４、４から本体６が構成されている。この本体６内は仕切板７にて断熱壁３側のダクト（図示せず）と前側の陳列室（庫内）８とに区画されており、前記ダクト内に設置した冷却器と熱交換した冷気を送風機にて陳列室８内に循環させることによって、所定の温度に冷却している。
【００１８】
陳列室８の背部両側には、前記仕切板７の左右において上下に棚支柱９、９が立設されている。この棚支柱９には上下に渡って複数の図示しない係合孔が穿設されており、この棚支柱９に本発明の棚装置２が陳列室８の上下に複数段架設される。
【００１９】
この棚装置２は、前記棚支柱９、９に取り付けられる左右一対のブラケット１３、１３と、前フレーム１４及び後フレーム１６と、棚飾り１７と、保持部材２０と、棚ガード１８及び透明板ガラスから成る棚板１９とから構成されている。前記ブラケット１３の後端上部には鉤状の上係合爪２１が後方に突設され、更にその直下には同形状の中係合爪２２が突設されている。
【００２０】
更に、ブラケット１３の後端下部には下係合爪２３が後方に突設されている。そして、この下係合爪２３の下面には前後に二カ所の係合部２４、２６が形成されている。また、ブラケット１３の上縁には内側に略直角に折曲された水平なフランジ２７が前後に渡って形成されており、このフランジ２７の前後には内側から切り込まれた係合溝２８と図示しないネジ孔が形成されている。
【００２１】
前フレーム１４は前部が長手方向に渡って下側に折曲され、そこに断面略コ字状のコ字状部２９が形成されると共に、この後部は更に上方が開放した断面略コ字状に折曲される補強部３１が形成されている。また、前フレーム１４の左右及び中央部には図３に示す如くゴム製のバンパー３０が取り付けられている。更に、左右端部にはネジ孔４１も形成されている。
【００２２】
後フレーム１６も前部が長手方向に渡って下側に折曲され、そこに断面略コ字状の係合辺としてのコ字状部３２が形成されると共に、後部は上方に垂直に起立するように折曲され、そこに後フランジ３３が形成されている。また、この後フレーム１６の左右及び中央部にもゴム製のバンパー３０が取り付けられている。更に、左右端には図示しないネジ孔も形成されている。
【００２３】
次に、図５乃至図７を参照して棚飾り１７及び保持部材２０について説明する。図５は保持部材２０の保持壁４５部分の棚装置２の部分拡大縦断側面図、図６は保持部材２０の保持壁４５が形成されていない部分の棚装置２の部分拡大縦断側面図、図７は掲示部材４６が挿入された状態の棚装置２の部分拡大縦断側面図を示している。図に示す如く棚飾り１７の前端には縦壁３４が立設されると共に、後端にも縦壁３６が立設された構造とされている。尚、これら縦壁３４、３６は棚飾り１７の長手方向に渡って形成されている。
【００２４】
そして、保持部材２０は、前端には部分的に、本実施例では図４に示す如く保持部材２０の長手方向における両端部と中央部に起立した保持壁４５が形成されている。尚、本実施例では、保持壁４５は、保持部材２０の両端部と中央部に形成されているが、両端部のみであってもよい。また、保持部材２０の後端には、保持部材２０の長手方向に渡って縦壁３７が形成されている。ここで、保持部材２０の奥行き寸法は、前記棚飾り１７の奥行き寸法よりも小さいものとする。
【００２５】
尚、図７において４６は掲示部材であり、例えば硬質合成樹脂によって構成される透明板の上端を後方に所定曲率で折り返して形成される係止部４７と例えば棚装置２に陳列される商品の値段などを表示したカードを保持する保持部４８とから構成されている。
【００２６】
次ぎに棚装置２の組立構造を説明する。保持部材２０は前フレーム１４の下側に宛われた後、更に、この保持部材２０の下側から棚飾り１７が宛われ、棚飾り１７の下側から保持部材２０と共に、ネジ３９にてコ字状部２９の下辺に共締めにて固定される。これにより、棚飾り１７と保持部材２０の取り付け作業性を向上させることができると共に、部品点数を削減することができコストの低減を図ることができる。
【００２７】
このとき、保持部材２０の保持壁４５は前フレーム１４の前方に位置すると共に、コ字状部２９の前辺と保持壁３４間には所定の間隔が形成される。そして、この間隔内に上から棚ガード１８が挿入されて挟持されている。また、棚飾り１７の縦壁３４は、保持部材２０の保持壁４５と当接して取り付けられる。このとき、保持部材２０のそれぞれの保持壁４５の間は、棚飾り１７の縦壁３４の後面と棚ガード１８の前面とによって、図６に示す如く挿入空間Ｓが形成される。
【００２８】
そして、係る挿入空間Ｓに前記掲示部材４６の係止部４７を挿入することによって掲示部材４６を棚装置２の前面に固定することができる。また、本発明によれば、保持部材２０は、棚飾り１７の縦壁３４後側において部分的に起立し、前フレーム１４との間に間隔を構成する保持壁４５を備え、この保持壁４５と前フレーム前１４面間の間隔に棚ガード１８を挿入して立設すると共に、その状態で保持壁４５以外の部分の棚飾り１７の縦壁３４と棚ガード１８間に、掲示部材４６の挿入空間Ｓを構成したので、保持壁４５の肉厚寸法で掲示部材４６の挿入空間Ｓを構成することができ、従来に比して棚ガード１８前面と棚飾り１７の縦壁３４との間の距離を狭くすることができるようになり、棚板１９面積の拡張を図ることができる。
【００２９】
また、棚ガード１８の保持を保持部材２０の保持壁４５と前フレーム１４と挟持することによって、支障無く行うことができる。
【００３０】
更に、保持部材２０の保持壁４５は、棚ガード１８の長手方向における両端部及び中央部に対応して形成されているので、掲示部材４６の挿入空間Ｓを十分に確保することができると共に、棚ガード１８を確実に保持することができる。尚、本実施例では、保持壁４５が保持部材２０の両端部及び中央部に形成されているが、両端部のみであっても、棚ガード１８を確実に保持することができる。
【００３１】
また、挿入空間Ｓに埃や棚装置２に陳列される商品から滴下した肉汁などが侵入した場合に、棚ガード１８を外すことにより、前フレーム１４と保持部材２０との間の隙間が拡張され、掃除やメンテナンス作業を容易に行うことができるようになり、衛生面においても有効なものとなる。
【００３２】
【発明の効果】
本発明によれば、棚支柱に設けられた左右一対のブラケットと、両ブラケット間に渡って取り付けられた前後のフレームと、これらブラケット及びフレーム上に載置される棚板とから成るショーケースの棚装置であって、前側のフレームの下側から前方に渡って設けられ、当該フレームの前面との間に間隔を存して起立する縦壁を備えた棚飾りと、前側のフレームと棚飾り間に位置して設けられた保持部材とを備え、この保持部材は、棚飾りの縦壁後側において部分的に起立し、前側のフレームとの間に間隔を構成する保持壁を備え、この保持壁と前記前側のフレーム前面間の間隔に棚ガードを挿入して立設すると共に、その状態で保持壁以外の部分の棚飾りの縦壁と棚ガード間に、掲示部材の挿入空間を構成したので、保持壁の肉厚寸法で掲示部材の挿入空間を構成することができ、従来に比して棚ガード前面と棚飾りの縦壁との間の距離を狭くすることができるようになり、棚板面積の拡張を図ることができるようになる。
【００３３】
また、棚ガードの保持を保持部材の保持壁と前側のフレームと挟持することによって、支障無く行うことができるようになる。
【００３４】
更に、挿入空間に埃や棚装置に陳列される商品から滴下した肉汁などが侵入した場合に、棚ガードを外すことにより、前側のフレームと保持部材との間の隙間が拡張され、掃除やメンテナンス作業を容易に行うことができるようになり、衛生面においても有効なものとなる。
【００３５】
請求項２の発明によれば、請求項１の発明に加えて保持壁は、棚ガードの長手方向における少なくとも両端に対応して形成されているので、両端部で安定して棚ガードを保持することができるようになる。
【００３６】
請求項３の発明によれば、請求項１の発明に加えて保持壁は、棚ガードの長手方向における両端部と中央部に対応して形成されているので、両端と中央でより一層、安定的に棚ガードを保持することができるようになる。
【００３７】
請求項４の発明によれば、請求項１、請求項２又は請求項３の発明に加えて棚飾りと保持部材は前側のフレームに下側からネジにて共締め固定されているので、棚飾りと保持部材の取り付け作業性を向上させることができるようになると共に、部品点数を削減することができコストの低減を図ることができるようになる。
【図面の簡単な説明】
【図１】本発明を適用した実施例としての低温ショーケースの斜視図である。
【図２】棚装置の断面図である。
【図３】棚装置の平面図である。
【図４】棚装置の正面図である。
【図５】保持部材の保持壁部分の棚装置の部分拡大縦断側面図である。
【図６】保持部材の保持壁が形成されていない部分の棚装置の部分拡大縦断側面図である。
【図７】掲示部材が挿入された状態の棚装置の部分拡大縦断側面図である。
【符号の説明】
Ｓ  保持空間
１  低温ショーケース
２  棚装置
１３  ブラケット
１４  前フレーム
１６  後フレーム
１７  棚飾り
１８  棚ガード
１９  棚板
２０  保持部材
２７  フランジ
２８  係合溝
２９  コ字状部
３０  バンパー
３１  補強部
３２  コ字状部
３４、３６、３７  縦壁
３９  ネジ
４５  保持壁
４６  掲示部材
４７  係止部
【図１】
0004043174.tif 000002
【図２】
0004043174.tif 000003
【図３】
0004043174.tif 000004
【図４】
0004043174.tif 000005
【図５】
0004043174.tif 000006
【図６】
0004043174.tif 000007
【図７】
0004043174.tif 000008